【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
フッ化モノマーおよび炭化水素モノマーを含む生体適合性ポリマーであって、
前記フッ化モノマーが、前記ポリマーの反復単位約２５．０１モル％〜約９９．９９モル％を形成し、
前記炭化水素モノマーが、前記ポリマーの反復単位約７４．９９モル％〜約０．０１モル％を形成する、
生体適合性ポリマー。
【請求項２】
フッ化モノマーおよび炭化水素モノマーを含む生体適合性ポリマーであって、
前記フッ化モノマーが、前記ポリマーの単位約５０．０１モル％〜約９４．９９モル％
を形成し、
前記炭化水素モノマーが、前記ポリマーの反復単位約４９．９９モル％〜約５．０１モ
ル％を形成する、
生体適合性ポリマー。
【請求項３】
次式Ｉ
【化１】
2008525588.tif 000001
（式中、ｍおよびｎは範囲１〜１０００００の自然数であり、
前記フルオロモノマーはフッ化アルキレンモノマーであり、
前記炭化水素モノマーは炭化水素ビニルモノマーである）
の構造を有する、請求項１に記載の生体適合性ポリマー。
【請求項４】
前記フルオロモノマーが、−ＣＦ２−ＣＦ２−、−ＣＨ２−ＣＦ２−、−ＣＨ２−ＣＨＦ−、−ＣＨＦ−ＣＨＦ−、−ＣＣｌＦ−ＣＦ２−、−ＣＦ２−Ｃ（ＣＦ３）Ｆ−、−ＣＨＦ−Ｃ（ＣＦ３）Ｆ−、−ＣＦ２−Ｃ（ＣＦ３）Ｈ−、−ＣＦ２−ＣＲＦ−、−ＣＨＦ−ＣＲＦ−、−ＣＦ２−ＣＲＨ−、−ＣＨ２−ＣＲＦ−、および−ＣＦＨ−ＣＲＨ−、（式中Ｒは、水素、Ｃｌ、Ｂｒ、Ｉ、メチル、エチル、ｎ−プロピル、イオソ（ｉｏｓｏ）プロピル、短鎖アルキル基、フェニル、置換フェニル、環状アルキル、複素環、ヘテロアリール、短鎖フッ化アルキル基、フッ化フェニル、環状フッ化アルキル、フッ化複素環）からなる群またはそれらの組合せから選択され、
前記炭化水素モノマーが、ＣＨＲ＝ＣＨ２またはＣＲ２＝ＣＨ２、（式中Ｒが水素、メチル、エチル、ｎ−プロピル、イソプロピル、短鎖アルキル基、フェニル、置換フェニル、環状アルキル、複素環、ヘテロアリール）またはそれらの組合せとなり得る、
請求項３に記載の生体適合性ポリマー。
【請求項５】
前記炭化水素モノマーが、１つまたは複数のイソブチレン、スチレン、メチルスチレン、アルキル置換スチレン、エチレン、プロピレン、およびブチレン類である、請求項３に記載の生体適合性ポリマー。
【請求項６】
次式ＩＩ〜ＩＩＩ
【化２】
2008525588.tif 000002
（式中、ｍおよびｎは範囲１〜１０００００の自然数である）
のいずれかの構造を有する、請求項３に記載の生体適合性ポリマー。
【請求項７】
請求項１〜６のいずれか一項に記載の生体適合性ポリマーおよび少なくとも１種の他の生体適合性ポリマーを含む、生体適合性ポリマーブレンド。
【請求項８】
前記他の生体適合性ポリマーが、ポリ（エステルアミド）、ポリエステル、ポリヒドロキシアルカノエート（ＰＨＡ）、ポリ（３−ヒドロキシアルカノエート）、ポリ（３−ヒドロキシプロパノエート）、ポリ（３−ヒドロキシブチレート）、ポリ（３−ヒドロキシ吉草酸）、ポリ（３−ヒドロキシヘキサノエート）、ポリ（３−ヒドロキシヘプタノエート）、ポリ（３−ヒドロキシオクタノエート）、ポリ（４−ヒドロキシアルカノエート）、ポリ（４−ヒドロキシブチレート）、ポリ（４−ヒドロキシ吉草酸）、ポリ（４−ヒドロキシヘキサノート）、ポリ（４−ヒドロキシヘプタノエート）、本明細書に記載の３−ヒドロキシアルカノエート、４−ヒドロキシアルカノエートのモノマーまたはそれらのブレンドを含むポリ（４−ヒドロキシオクタノエート）コポリマー、ポリ（Ｄ，Ｌ−ラクチド）、ポリ（Ｌ−ラクチド）、ポリグリコリド、ポリ（Ｄ，Ｌ−ラクチド−ｃｏ−グリコリド）、ポリ（Ｌ−ラクチド−ｃｏ−グリコリド）、ポリカプロラクトン、ポリ（ラクチド−ｃｏ−カプロラクトン）、ポリ（グリコリド−ｃｏ−カプロラクトン）、ポリ（ジオキサノン）、ポリ（オルトエステル）、ポリ（酸無水物）、ポリ（チロシンカーボネート）およびその誘導体、ポリ（チロシンエステル）およびその誘導体、ポリ（イミノカーボネート）、ポリ（グリコール酸−ｃｏ−トリメチレンカーボネート）、ポリリン酸エステル、ポリリン酸エステルウレタン、ポリ（アミノ酸）、ポリシアノアクリレート、ポリ（トリメチレンカーボネート）、ポリ（イミノカーボネート）、ポリウレタン、ポリホスファゼン、シリコーン、ポリオレフィン、ポリイソブチレンおよびエチレン−αオレフィンコポリマー、メタクリルポリマーおよびコポリマー、アクリルポリマーおよびコポリマー、ポリ（メチルメタクリレート）、ポリ（エチルメタクリレート）、ポリ（イソプロピルメタクリレート）、ポリ（ｎ−プロピルメタクリレート）、ポリ（ｎ−ブチルメタクリレート）、ハロゲン化ビニルポリマーおよびコポリマー、ポリ塩化ビニル、ポリ（フッ化ビニリデン）、ポリ（フッ化ビニリデン−ｃｏ−ヘキサフルオロプロピレン）、ポリビニルエーテル、ポリビニルメチルエーテル、ポリハロゲン化ビニリデン、ポリ塩化ビニリデン、ポリアクリロニトリル、ポリビニルケトン、ポリビニル芳香族、ポリスチレン、ポリビニルエステル、ポリ酢酸ビニル、ビニルモノマーのコポリマー、エチレン−メチルメタクリレートコポリマー、アクリロニトリル−スチレンコポリマー、ＡＢＳ樹脂、およびエチレン酢酸ビニルコポリマー、ポリアミド、ナイロン６６およびポリカプロラクタム、アルキド樹脂、ポリカーボネート、ポリオキシメチレン、ポリイミド、ポリエーテル、ポリ（グリセリルセバケート）、ポリ（プロピレンフマレート）、エポキシ樹脂、ポリウレタン、レーヨン、レーヨン−トリアセテート、セルロースアセテート、セルロースブチレート、セルロースアセテートブチレート、セロハン、硝酸セルロース、セルロースプロピオネート、セルロースエーテル、カルボキシメチルセルロース、ポリエーテル、ポリ（エチレングリコール）（ＰＥＧ）、コポリ（エーテルエステル）、コポリ（エチレンオキシド−ｃｏ−乳酸）���ＰＥＯ／ＰＬＡ）、ポリアルキレンオキシド、ポリ（エチレンオキシド）、ポリ（プロピレンオキシド）、ポリアルキレンオキサレート、ホスホリルコリン、コリン、ポリ（アスピリン）、ヒドロキシルを含有するモノマーのポリマーおよびコポリマー、ヒドロキシエチルメタクリレート（ＨＥＭＡ）のポリマーおよびコポリマー、ヒドロキシプロピルメタクリレート（ＨＰＭＡ）のポリマーおよびコポリマー、ヒドロキシプロピルメタクリルアミドのポリマーおよびコポリマー、ＰＥＧアクリレート（ＰＥＧＡ）のポリマーおよびコポリマー、ＰＥＧメタクリレートのポリマーおよびコポリマー、２−メタクリロイルオキシエチルホスホリルコリン（ＭＰＣ）のポリマーおよびコポリマー、ｎ−ビニルピロリドン（ＶＰ）のポリマーおよびコポリマー、カルボン酸を含有するモノマーのポリマーおよびコポリマー、メタクリル酸（ＭＡ）のポリマーおよびコポリマー、アクリル酸（ＡＡ）のポリマーおよびコポリマー、アルコキシメタクリレートのポリマーおよびコポリマー、アルコキシアクリレートのポリマーおよびコポリマー、３−トリメチルシリルプロピルメタクリレート（ＴＭＳＰＭＡ）のポリマーおよびコポリマー、ポリ（スチレン−イソプレン−スチレン）−ＰＥＧ（ＳＩＳ−ＰＥＧ）、ポリスチレン−ＰＥＧ、ポリイソブチレン−ＰＥＧ、ポリカプロラクトン−ＰＥＧ（ＰＣＬ−ＰＥＧ）、ＰＬＡ−ＰＥＧ、ポリ（メチルメタクリレート）−ＰＥＧ（ＰＭＭＡ−ＰＥＧ）、ポリジメチルシロキサン−ｃｏ−ＰＥＧ（ＰＤＭＳ−ＰＥＧ）、ポリ（フッ化ビニリデン）−ＰＥＧ（ＰＶＤＦ−ＰＥＧ）、ＰＬＵＲＯＮＩＣ（商標）界面活性剤（ポリプロピレンオキシド−ｃｏ−ポリエチレングリコール）、ポリ（テトラメチレングリコール）、ヒドロキシ官能性ポリ（ビニルピロリドン）、バイオ分子、コラーゲン、キトサン、アルギネート、フィブリン、フィブリノゲン、セルロース、スターチ、コラーゲン、デキストラン、デキストリン、ヒアルロン酸の断片および誘導体、ヘパリン、ヘパリンの断片および誘導体、グリコサミノグリカン（ＧＡＧ）、ＧＡＧ誘導体、多糖類、エラスチン、キトサン、アルギネート、ならびにそれらの組合せからなる群から選択される、請求項７に記載のポリマーブレンド。
【請求項９】
請求項１〜６のいずれか一項に記載の生体適合性ポリマーを含む生体適合性コーティングをその上に有する埋込型装具。
【請求項１０】
請求項７又は８に記載の生体適合性ポリマーブレンドを含む生体適合性コーティングをその上に有する埋込型装具。
【請求項１１】
薬物送達ステントであって、前記コーティングがさらに生理活性剤を含む、請求項９に記載の埋込型装具。
【請求項１２】
前記生理活性剤が、パクリタキセル、ドセタキセル、エストラジオール、一酸化窒素供与体、スーパーオキシドジスムターゼ、スーパーオキシドジスムターゼ模倣剤、４−アミノ−２，２，６，６−テトラメチルピペリジン−１−オキシル（４−アミノ−ＴＥＭＰＯ）、タクロリムス、デキサメタゾン、ラパマイシン、ラパマイシン誘導体、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシン、および４０−Ｏ−テトラゾール−ラパマイシン、ＡＢＴ−５７８、クロベタゾール、それらのプロドラッグ、それらの補助薬、ならびにそれらの組合せからなる群から選択される、請求項１１に記載の薬物送達ステント。
【請求項１３】
請求項１〜６のいずれか一項に記載のポリマーを含む材料から形成されるステント。
【請求項１４】
請求項７又は８に記載のポリマーブレンドを含む材料から形成されるステント。
【請求項１５】
さらに生理活性剤を含む、請求項１３又は１４に記載のステント。
【請求項１６】
前記生理活性剤が、パクリタキセル、ドセタキセル、エストラジオール、一酸化窒素供与体、スーパーオキシドジスムターゼ、スーパーオキシドジスムターゼ模倣剤、４−アミノ−２，２，６，６−テトラメチルピペリジン−１−オキシル（４−アミノ−ＴＥＭＰＯ）、タクロリムス、デキサメタゾン、ラパマイシン、ラパマイシン誘導体、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシン、および４０−Ｏ−テトラゾール−ラパマイシン、ＡＢＴ−５７８、クロベタゾール、それらのプロドラッグ、それらの補助薬、ならびにそれらの組合せからなる群から選択される、請求項１５に記載のステント。